【事件の表示】
　特許第３０５３１９６号「イメージデータのラスタ変換装置」の請求項１に係る特許に対する特許異議の申立てについて、次のとおり決定する。
【結　論】
　訂正を認める。
　特許第３０５３１９６号の請求項１に係る特許を取り消す。
【理　由】
１．手続きの経緯
　特許第３０５３１９６号の請求項１に係る発明についての出願は、平成２年７月３日に特許出願され、平成１２年４月７日にその発明について特許権の設定登録がなされ、その後、その特許について、特許異議申立人飯島洋より特許異議の申立てがなされ、取消しの理由が通知され、その指定期間内である平成１３年４月２７日に訂正請求がなされたものである。
　
　
２．訂正の適否についての判断
（１）訂正の内容
　特許権者が求めている訂正は、以下の訂正事項ａ〜ｃのとおりである。
（訂正事項ａ）
　請求項１及び［課題を解決するための手段］に記載された、「展開すべきベクタデータをそれが描画されるバンドの情報と共に記憶するベクタデータ記憶手段」という記載を、「展開すべきベクタデータをそれが含まれる１又は複数のバンドの情報を付加して記憶するベクタデータ記憶手段」という記載に訂正する。
（訂正事項ｂ）
　請求項１及び［課題を解決するための手段］に記載された、「前記ベクタデータ記憶手段から処理すべきバンドのベクタデータのみを前記バンドの情報に基づいて抽出し、」という記載を、「前記ベクタデータ記憶手段から処理すべきバンドの情報が付加されたベクタデータのみを前記バンドの情報に基づいて抽出し、」という記載に訂正する。
（訂正事項ｃ）
　請求項１及び［課題を解決するための手段］に記載された、「この第１の制御手段で処理すべきバンドとは異なるバンドのベクタデータのみを前記ベクタデータ記憶手段から前記バンドの情報に基づいて抽出し、」という記載を、「この第１の制御手段で処理すべきバンドとは異なるバンドの情報が付加されたベクタデータのみを前記ベクタデータ記憶手段から前記バンドの情報に基づいて抽出し、」という記載に訂正する。
　
（２）訂正の目的の適否、新規事項の有無及び拡張・変更の存否
　上記訂正事項ａは、ベクタデータとバンドとの関係及びベクタデータの記憶形態を限定して明確にしたものであるから、特許請求の範囲の減縮及びそれに伴う明りょうでない記載の釈明に該当し、上記訂正事項ｂ、ｃは、処理対象のベクタデータを限定したものであるから、特許請求の範囲の減縮及びそれに伴う明りょうでない記載の釈明に該当し、いずれも明細書第１０頁第２〜７行及び第４図の記載の基づくものであるから、新規事項の追加に該当せず、実質的に特許請求の範囲を拡張又は変更するものではない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
　
３．特許異議申立てについての判断
（１）本件発明
　上記２．で示したように上記訂正が認められるから、本件の請求項１に係る発明（以下「本件発明」という。）は、上記訂正に係る訂正明細書の特許請求の範囲の請求項１に記載された次のとおりのものである。
「　１枚の描画範囲を複数本のバンドに分割し、各バンド単位でベクタデータをビットマップ展開してラスタデータを得るイメージデータのラスタデータ変換装置であって、
　展開すべきベクタデータをそれが含まれる１又は複数のバンドの情報を付加して記憶するベクタデータ記憶手段と、
　前記ベクタデータから展開される所定バンド幅のビットマップデータをそれぞれ格納する第１及び第２のビットマップメモリと、
　前記ベクタデータ記憶手段から処理すべきバンドの情報が付加されたべクタデータのみを前記バンドの情報に基づいて抽出し、この抽出されたベクタデータをビットマップデータに展開して前記第１のビットマップメモリに書き込む書込制御と前記第１のビットマップメモリに書き込まれたビットマップデータをラスタデータとして読み出す読出制御とを行う第１の制御手段と、
　この第１の制御手段で処理すべきバンドとは異なるバンドの情報が付加されたベクタデータのみを前記ベクタデータ記憶手段から前記バンドの情報に基づいて抽出し、この抽出されたベクタデータをビットマップデータに展開して前記第２のビットマップメモリに書き込む書込制御と前記第２のビットマップメモリに書き込まれたビットマップデータをラスタデータとして読み出す読出制御とを行う第２の制御手段とを有し、
　前記第１及び第２の制御手段は、その一方が書込制御を行っている期間に、他方が読出制御を行うものであることを特徴とするイメージデータのラスタ変換装置。」
　
（２）引用刊行物に記載された発明
　当審が平成１３年２月１６日付けで通知した取消しの理由で引用した特開昭６２−２６７１４５号公報（昭和６２年１１月１９日出願公開。以下「引用刊行物」という。）には、静電プロッタにラスタデータを供給する静電プロッタ用制御装置に関する発明において、以下のことが記載されている。
「第１図において、ホストコンピュータから転送されてきたエレメントデータは、第２図に示すように各バンドごとに選別されてエレメントバッファメモリ１１に書き込まれる。次にエレメントバッファメモリ１１に書き込まれたエレメントデータは、読み出されてエレメント−ラスタ変換器１２で各バンド単位でラスタデータに変換され、スイッチ回路１３に送出される。このスイッチ回路１３および後述するスイッチ回路１４とは、第１のラスタバッファメモリ１５と第２のラスタバッファメモリ１６が各バンド単位でラスタデータの書き込みと読み出しが交互に行なえるようにメモリ制御部１７によって切替制御されており、メモリ制御部１７は上記制御動作を繰り返し行なう。」（２頁右上欄１７行〜同頁左下欄１１行）
　
（３）対比・判断
（ａ）引用刊行物に記載された発明は、ホストコンピュータから転送されてきたエレメントデータを、エレメント−ラスタ変換器１９により各バンド単位でラスタデータに変換してラスタデータを得るものであり、当該エレメントデータは、特許権者も平成１２年４月２７日付け特許異議意見書で認めているように、本件発明のベクタデータに相当するものと認められるから、「１枚の描画範囲を複数本のバンドに分割し、各バンド単位でベクタデータをビットマップ展開してラスタデータを得るイメージデータのラスタデータ変換装置」である点で本件発明と差異がない。
（ｂ）引用刊行物に記載された発明のエレメントバッファは、エレメントデータ（ベクタデータ）が各バンドごとに選別されて書き込まれるものであるから、「展開すべきベクタデータを記憶する」点で本件発明のベクタデータ記憶手段と一致している。
（ｃ）引用刊行物に記載された発明の第１、２のラスタバッファメモリ１５、１６は、各バンド単位で変換されたラスタデータを格納するものであるから、本件発明の「ベクタデータから展開される所定バンド幅のビットマップデータをそれぞれ格納する第１及び第２のビットマップメモリ」と差異がない。
（ｄ）引用刊行物に記載された発明のメモリ制御部１７は、エレメント−ラスタ変換器１２で各バンド単位で変換されたラスタデータに対して、スイッチ回路１３及びスイッチ回路１４とを切替制御して、第１のラスタバッファメモリ１５と第２のラスタバッファメモリ１６が各バンド単位でラスタデータの書き込みと読み出しが交互に行えるようにするものであるから、制御手段として、「ベクタデータ記憶手段の処理すべきバンドのベクタデータを展開したビットマップデータを第１のビットマップメモリに書き込む書込制御と前記第１のビットマップメモリに書き込まれたビットマップデータをラスタデータとして読み出す読出制御とを行う」点、及び「前記処理すべきバンドとは異なるバンドのベクタデータを展開したビットマップデータを第２のビットマップメモリに書き込む書込制御と前記第２のビットマップメモリに書き込まれたビットマップデータをラスタデータとして読み出す読出制御とを行う」点で、本件発明の第１の制御手段及び第２の制御手段と一致している。
　
　以上のことから、本件発明と引用刊行物に記載された発明とは、
「１枚の描画範囲を複数本のバンドに分割し、各バンド単位でベクタデータをビットマップ展開してラスタデータを得るイメージデータのラスタデータ変換装置であって、
　展開すべきベクタデータを記憶するベクタデータ記憶手段と、
　前記ベクタデータから展開される所定バンド幅のビットマップデータをそれぞれ格納する第１及び第２のビットマップメモリと、
　ベクタデータ記憶手段の処理すべきバンドのベクタデータを展開したビットマップデータを前記第１のビットマップメモリに書き込む書込制御と前記第１のビットマップメモリに書き込まれたビットマップデータをラスタデータとして読み出す読出制御とを行い、前記処理すべきバンドとは異なるバンドのベクタデータを展開したビットマップデータを前記第２のビットマップメモリに書き込む書込制御と前記第２のビットマップメモリに書き込まれたビットマップデータをラスタデータとして読み出す読出制御とを行う制御手段とを有する
　ことを特徴とするイメージデータのラスタ変換装置。」
の点で一致しており、以下の点で相違している。
（相違点１）ベクタデータ記憶手段が、本件発明は、展開すべきベクタデータをそれが含まれる１又は複数のバンドの情報を付加して記憶するするのに対し、引用刊行物に記載された発明は、ベクタデータを各バンドごとに選別して記憶する点。
（相違点２）制御手段が、本件発明は、「ベクタデータ記憶手段から処理すべきバンドの情報が付加されたべクタデータのみを前記バンドの情報に基づいて抽出し、この抽出されたベクタデータをビットマップデータに展開して前記第１のビットマップメモリに書き込む書込制御と前記第１のビットマップメモリに書き込まれたビットマップデータをラスタデータとして読み出す読出制御とを行う第１の制御手段と、この第１の制御手段で処理すべきバンドとは異なるバンドの情報が付加されたベクタデータのみを前記ベクタデータ記憶手段から前記バンドの情報に基づいて抽出し、この抽出されたベクタデータをビットマップデータに展開して前記第２のビットマップメモリに書き込む書込制御と前記第２のビットマップメモリに書き込まれたビットマップデータをラスタデータとして読み出す読出制御とを行う第２の制御手段」とからなるのに対し、引用例に記載された発明は、スイッチ回路１３及びスイッチ回路１４とを切替制御するメモリ制御部１７からなる点。
　
　まず、相違点１について検討する。
　引用例に記載された発明は、特許権者も平成１２年４月２７日付け特許異議意見書で認めているように、バンドごとに選別してエレメントバッファ１１に書き込む際に、複数のバンドに跨るエレメントデータは、それぞれが複数のバンドに跨らないように予め分割されて書き込まれるものと認められる。
　そして、複数のバンドに跨るベクタデータをビットマップ展開する場合、（ア）ベクタデータ記憶手段に記憶する際にベクタデータをバンド毎に分解して書き込み、分解されたベクタデータをビットマップ展開するか、（イ）ベクタデータ記憶手段にはベクタデータを分解することなく記憶し、それから読み出した後にベクタデータをバンド毎に分解して展開する　かは、ビットマップ展開時の負荷、メモリの容量等を考慮して、当業者が適宜選択し得る範囲内の事項にすぎず、後者の場合、展開すべきベクタデータをそれが含まれる１又は複数のバンドの情報を付加してベクタデータ記憶手段に記憶することは、読み出し後の分解のために当然に要求されることであるから、ベクタデータ記憶手段が、展開すべきベクタデータをそれが含まれる１又は複数のバンドの情報を付加して記憶するようにすることは、当業者に容易になし得ることである。
　次に、相違点２について検討する。
　引用例に記載された発明は、第１、第２のビットマップメモリに、各バンドのビットマップ展開されたビットマップデータを、バンド毎に交互に振り分けて書き込み、読み出しするよう制御することを開示するものであるから、制御手段が、ベクタデータ記憶手段から処理すべきバンドの情報が付加されたべクタデータのみをバンドの情報に基づいて抽出し、この抽出されたベクタデータをビットマップデータに展開して対応するビットマップメモリに書き込む書込制御と当該ビットマップメモリに書き込まれたビットマップデータをラスタデータとして読み出す読出制御とを行うようにすることは、展開すべきベクタデータをそれが含まれる１又は複数のバンド情報をベクタデータ記憶手段に記憶するようにすることに伴って、当業者が容易になし得ることである。
　さらに、制御を複数の制御手段に分けて行うようにすることは普通に行われていることであるから、第１のビットマップメモリに格納されるべきデータについての抽出、展開、第１のビットマップメモリへの書き込み及び第１のビットマップメモリからの読み出しの制御と、第２のビットマップメモリに格納されるべきデータについての抽出、展開、第２のビットマップメモリへの書き込み及び第２のビットマップメモリからの読み出しの制御とに分けて、それぞれ第１、２の制御手段により制御するようにすることは、当業者が必要に応じて適宜採用し得ることにすぎず、何等格別なものではない。
　
（４）むすび
　以上のとおりであるから、本件発明は、特許法第２９条第２項の規定により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年５月３０日（２００１．５．３０）
【訂正の要旨】
訂正の要旨
（訂正事項ａ）
　請求項１及び［課題を解決するための手段］に記載された、「展開すべきベクタデータをそれが描画されるバンドの情報と共に記憶するベクタデータ記憶手段」という記載を、「展開すべきベクタデータをそれが含まれる１又は複数のバンドの情報を付加して記憶するベクタデータ記憶手段」という記載に訂正する。
（訂正事項ｂ）
　請求項１及び［課題を解決するための手段］に記載された、「前記ベクタデータ記憶手段から処理すべきバンドのベクタデータのみを前記バンドの情報に基づいて抽出し、」という記載を、「前記ベクタデータ記憶手段から処理すべきバンドの情報が付加されたべクタデータのみを前記バンドの情報に基づいて抽出し、」という記載に訂正する。
（訂正事項ｃ）
　請求項１及び［課題を解決するための手段］に記載された、「この第１の制御手段で処理すべきバンドとは異なるバンドのベクタデータのみを前記ベクタデータ記憶手段から前記バンドの情報に基づいて抽出し、」という記載を、「この第１の制御手段で処理すべきバンドとは異なるバンドの情報が付加されたべクタデータのみを前記ベクタデータ記憶手段から前記バンドの情報に基づいて抽出し、」という記載に訂正する。
（５４）【発明の名称】
イメージデータのラスタ変換装置
（５７）【特許請求の範囲】
　（１）　１枚の描画範囲を複数本のバンドに分割し、各バンド単位でベクタデータをビットマップ展開してラスタデータを得るイメージデータのラスタデータ変換装置であって、
　展開すべきベクタデータをそれが
含まれる１又は複数の
を付加して
　前記ベクタデータから展開される所定バンド幅のビットマップデータをそれぞれ格納する第１及び第２のビットマップメモリと、
　前記ベクタデータ記憶手段から処理すべきバンドの
情報が付加された
　この第１の制御手段で処理すべきバンドとは異なるバンドの
情報が付加された
　前記第１及び第２の制御手段は、その一方が書込制御を行っている期間に、他方が読出制御を行うものであることを特徴とするイメージデータのラスタ変換装置。
【発明の詳細な説明】
［産業上の利用分野］
　本発明は、ホストコンピュータからの作図コマンド等によって生成されるベクタデータ及びＣＡＤシステムから供給されるベクタデータ等をラスタデータに変換するイメージデータのラスタ変換装置に関する。
［従来の技術］
　ベクタデータによって構成されるイメージデータを、静電プリンタ、サーマルプリンタ、ＬＥＤプリンタ及びＣＲＴディスプレイ等のラスタ型出力装置に出力するためには、ベクタデータをラスタデータに変換するためのラスタ変換装置を使用する必要がある。従来、この種のラスタ変換装置では、ベクタデータを、例えばＤＤＡ（ｄｉｇｉｔａｌ　ｄｅｆｆｅｒｅｎｔｉａｌ　ａｎａｌｙｚｅｒ）等の手法を使用してビットマップデータに展開し、全画素対応のビットマップメモリに一旦格納したのち、上記ビットマップメモリからの順次的な読出動作を行なうことによりラスタデータを得るようにしている。
　一方、例えばＡ０サイズの図面を４００ドット／インチの解像度で格納する場合、必要とされるビットマップメモリの容量は３０Ｍバイトにも達する。このため、Ａ１，Ａ０サイズといった大型の出図装置等で全画素対応のビットマップメモリを使用するとなると、大幅なコストアップを招いてしまう。
　そこで、１枚の図面を複数本のバンドに分割し、バンド単位でビットマップ展開を行なうことにより、使用するビットマップメモリの容量を、例えば２Ｍバイト程度まで削減するようにしたバンディング方式のラスタ変換装置も知られている。
［発明が解決しようとする課題］
　しかしながら、上述した従来のラスタ出力装置では、全画素対応方式及びバンディング方式のいずれの場合でも、ベクタデータをビットマップ展開してビットマップメモリへ書き込む際の時間と、ビットマップメモリからビットマップデータを読み出す時間とに多くの時間を費やしてしまい、ベクタデータが入力されてからラスタ出力が得られるまでに非常に時間がかかるという問題点があった。
　また、従来のバンディング方式の場合には、同様の理由により、バンド毎に出図動作が停止して、スムーズな出図動作を行なうことができないという問題点があった。
　本発明はかかる問題点に鑑みてなされたものであって、ベクタデータの入力からラスタデータの出力までの時間を大幅に短縮することができると共に、スムーズな出図動作を行なうことが可能なイメージデータのラスタ出力装置を提供することを目的とする。
［課題を解決するための手段］
　本発明に係るイメージデータのラスタ出力装置は、１枚の描画範囲を複数本のバンドに分割し、各バンド単位でベクタデータをビットマップ展開してラスタデータを得るイメージデータのラスタデータ変換装置であって、展開すべきベクタデータをそれが
含まれる１又は複数の
を付加して
情報が付加された
情報が付加された
［作用］
　本発明によれば、前記第１及び第２の制御手段のうちの一方が、一方のビットマップメモリに書込制御を行っている期間に、他方の制御手段が他方のビットマップメモリから読出制御を行うので、ビットマップデータの展開とラスタ出力とを同時並列的に実行することができる。このため、ベクタデータの入力からラスタデータの出力までの時間を大幅に短縮することができる。
　また、本発明によれば、一方のビットマップメモリからのラスタ出力を行なっている期間に、他方のビットマップメモリヘのビットマップ展開を行なっているので、ラスタ出力が他方のビットマップメモリへ切り替った際には、直ちにラスタ出力を開始させることができ、よどみがない連続的な出図動作を行うことができる。
［実施例］
　以下、添付の図面を参照して本発明の実施例について説明する。
　第１図は本発明の実施例に係るイメージデータのラスタ変換装置を示す機能ブロック図である。
　ホストコンピュータ等から与えられる作図コマンド（各社プロッタコマンド）は、インタフェース回路１を介して入力データ用バッファ２に格納されるようになっている。入力データ用バッファ２に格納された作図コマンドは、コマンド解析部３に順次供給されている。
　コマンド解析部３は、キーパネル４から与えられる作図制御情報を基に、与えられた作図コマンドを解析するもので、その解析結果は、ベクタデータ変換部５に供給されている。ベクタデータ変換部５は、与えられたコマンド解析結果をベクタデータに変換する。得られたベクタデータは、ベクタデータ用バッファ６に一旦格納されるようになっている。
　ベクタデータ用バッファ６に格納されたべクタデータは、ビットマップ展開部７に供給されている。ビットマップ展開部７は、ベクタデータをバンド単位でビットマップ展開する。
　ビットマップ展開部７で展開されたビットマップデータは、２系統に分配されてバッファリングされるようになっている。即ち、１つの系統は、第１の制御手段であるグラフィックプロセッサ（以下、ＧＰと呼ぶ）８を介して出図制御部１２にラスタデータを供給する系統であり、この系統ではバッファメモリとして２Ｍバイトの容量のバンド幅のビットマップメモリであるラスタメモリ１０が使用されている。また、他の１つの系統は、第２の制御手段であるＧＰ９を介して出図制御部１２にラスタデータを供給する系統であり、この系統ではバッファメモリとして２Ｍバイトの容量のバンド幅のビットマップメモリであるラスタメモリ１１が使用されるようになっている。ＧＰ８，９は、並列に動作を行い、一方がラスタメモリ１０，１１に対する書き込みを行っている間に、他方がラスタメモリ１０，１１からのデータの読み出しを行うものとなっている。なお、ＧＰ８，９としては、例えば日本電気製のμＰＤ７２１２０等が好適である。
　第２図は、第１図の装置を実現するハードウェア構成例を示すブロック図である。
　この装置では、ＧＰ８，９を介して２つのＣＰＵ（中央処理装置）２１，２２が接続されている。ＣＰＵ２１は、コマンド解析、ベクタデータ変換及びビットマップ展開等の処理を実行する。また、ＣＰＵ２２は、ドライバ２４を介して図示しないラスタ出力装置に対する出図制御を実行する。　ＣＰＵ２１，２２をつなぐ通信用メモリ２３は、両ＣＰＵ２１，２２がお互いの処理の終了を相手方に知らせるための通信に使用される。
　なお、第２図において第１図と同一符号を付した部分は、第１図のものと同一のものである。
　次にこのように構成された本実施例に係るラスタ変換装置の動作について説明する。
　先ず、第１図において、ホスト側からインタフェース回路１を介して作図コマンドが入力されると、この作図コマンドは、一旦入力データ用バッファ２に格納される。
　入力データ用バッファ２に所定数の作図コマンドが格納されると、コマンド解析部３が起動され、キーパネル４により指示された作図制御情報を基に、コマンドの解析が行われる。
　続いてベクタデータ変換部５が起動され、コマンド解析部３での解析結果からイメージデータを構成するベクタデータが生成される。なお、ここでは、第３図に示すように、１枚のイメージデータを＃１〜＃ｎまでのｎ本のバンドデータに分割し、各バンド単位でビットマップ展開を行なうバンディング方式を採用している。そこで、例えば第４図に示すように、生成されたベクタデータ８１には、夫々それが含まれるバンド情報３２が付加されるようになっている。ここで変換されたべクタデータは、ベクタデータ用バッファ８に順次格納される。
　コマンド解析部３が出図コマンドを解析したら、或いは、キーパネル４でＰ‐ＯＵＴ‐ｋｅｙが押されたら、ビットマップ展開部７が起動される。
　第５図はビットマップ展開部７での処理を説明するための模式図である。
　ビットマップ展開部７は、先ず、第５図（ａ）に示すように、バンドＮｏ．＃１のべクタデータを、ビットマップ展開する。展開されたビットマップデータは、ＧＰ８の制御の下でラスタメモリ１０に格納されていく。バンドＮｏ．＃１のべクタデータが全て展開されたら、ビットマップ展開部７は、出図制御部１２に展開終了を通知すると共に、次のバンドＮｏ．＃２のべクタデータのビットマップ展開を開始する。
　バンドＮｏ．＃２のビットマップ展開が開始されると、第５図（ｂ）に示すように、展開されたビットマップデータが今度はＧＰ９の制御の下でラスタメモリ１１に格納されていく。
　一方、出図制御部１２では、ビットマップ展開部７からの前記展開終了の通知を受けると、直ちにＧＰ８にデータの出力を要求するので、ＧＰ８はラスタメモリ１０から出図制御部１２にバンドＮｏ．＃１のラスタデータを供給する。
　従って、このときには、バンドＮｏ．＃２のビットマップ展開と、バンドＮｏ．＃１の出図とが同時並列的に行われることになる。
　出図が完了したら、出図制御部１２からビットマップ展開部７に出図完了が通知される。同じく、ビットマップ展開が終了したら、ビットマップ展開部７から出図制御部１２に展開終了が通知される。ビットマップ処理時間は、夫々の対象とするデータ量によって決定されるが、ビットマップ展開と出図処理の両方が終了したら、次のビットマップ展開と出図処理とが開始される。
　即ち、次の処理では、第５図（ｃ）に示すように、バンドＮｏ．＃３のビットマップデータの展開がＧＰ８の制御の下で行われると同時に、バンドＮｏ．＃２のビットマップデータの出図がＧＰ９の制御の下で行われることになる。
　以後、同様の操作が全てのバンドについて交互に行なわれることにより、ＧＰ８では、＃１，＃３，＃５，…，＃ｎ−１のバンドデータのラスタ変換を、また、ＧＰ９では、＃２，＃４，＃６，…，＃ｎのバンドデータのラスタ変換を夫々受け持つことになる。
　本実施例の装置によれば、第６図に示すように、ラスタメモリ１０，１１の一方でビットマップデータの書込が行なわれているときに、他方でビットマップデータの読出が行なわれるので、ラスタメモリ１０，１１に対するアクセスの無駄時間が大幅に削減されると共に、ラスタメモリ１０，１１から交互に連続的にバンドデータがラスタ出力されることにより、連続的な出図が可能になる。
　また、この装置では、ベクタデータにバンド情報を持たせるようにしているので、予めバンドＮｏ．が異なるベクタデータをビットマップ展開しないことにより、処理の効率化を更に図ることができ、より高速な処理が可能である。
　なお、この実施例では、ベクタデータに付加されたバンド情報に基づいて、ビットマップ展開の実行を制御するようにしたが、特にバンド情報を付加せずに、例えばベクタデータから、それが所属するバンドＮｏ．をＧＰ側で把握して、ビットマップ展開の実行を制御するようにしてもよい。
　また、以上の実施例では、ラスタメモリが所定バンド幅の容量しか持たないものであったが、これらをフルビットマップとするようにしてもよい。
　この場合には、一方のビットマップメモリに対してビットマップ展開を行なっているときに、他方のビットマップメモリから、前頁の出図を行なうことにより、上記と同様に複数頁に亘る図面について、連続的な出図動作を行なうことができる。
［発明の効果］
　以上述べたように、本発明によれば、前記第１及び第２の制御手段のうちの一方を書込制御としたときに、他方を読出制御とするようにしているので、ビットマップデータの展開とラスタ出力とを同時並列的に実行させることができ、ベクタデータの入力からラスタデータの出力までの時間を大幅に短縮することができると共に、よどみがない連続的な出図動作を実現することができる。
【図面の簡単な説明】
　第１図は本発明の実施例に係るイメージデータのベクタ変換装置の機能ブロック図、第２図は同装置の具体的なハードウェア構成を示すブロック図、第３図は同装置での処理単位となるバンドデータを示す模式図、第４図は同装置で展開されるベクタデータを示す模式図、第５図は同装置におけるＧＰの並列動作を説明するための模式図、第６図は同装置の動作タイミング図である。
１；インタフェース回路、２；入力データ用バッファ、３；コマンド解析部、４；キーパネル、５；ベクタデータ変換部、６；ベクタデータ用バッファ、７；ビットマップ展開部、８，９；グラフィックプロセッサ、１０，１１；ラスタメモリ、１２；出図制御部、２１，２２；ＣＰＵ、２３；通信用メモリ、２４；ドライバ、３１；ベクタデータ、３２；バンド情報